(57)【要約】  本発明は、部外者が会議に不正に参加することをより簡単、かつ、確実に防ぐことができ、部外者に会議の存在や内容を知られる危険性を低減することを目的とし、本発明によるプロジェクタシステムは、ネットワークを介して接続される送信端末、受信端末、および、プロジェクタを備えたプロジェクタシステムであって、送信端末はプロジェクタに対してデータ送信に関する第１の要求を行う送信端末通信部を備え、受信端末はプロジェクタに対してデータ送信に関する第２の要求を行う受信端末通信部を備え、プロジェクタは、利用者の入力を受け付ける操作部と、投射部と、操作部に対する所定の入力を契機として、第１の要求および第２の要求を受け付ける受付期間を定めるとともに、受付期間中は受付期間である旨の映像を投射部に投射させる設定部と、を備えることを特徴とする。
2010052767.tif 000002
【特許請求の範囲】
【請求項１】
ネットワークを介して接続される送信端末、受信端末、および、プロジェクタを備えたプロジェクタシステムであって、
前記送信端末は前記プロジェクタに対してデータ送信に関する第１の要求を行う送信端末通信部を備え、
前記受信端末は前記プロジェクタに対してデータ送信に関する第２の要求を行う受信端末通信部を備え、
前記プロジェクタは、
利用者の入力を受け付ける操作部と、
投射部と、
前記操作部に対する所定の入力を契機として、前記前記第１の要求および第２の要求を受け付ける受付期間を定めるとともに、前記受付期間中は受付期間である旨の映像を前記投射部に投射させる設定部と、を備えることを特徴とするプロジェクタシステム。
【請求項２】
請求項１記載のプロジェクタシステムにおいて、
前記設定部は、前記操作部に対する所定の入力が行われてから一定の期間を前記受付期間とするプロジェクタシステム。
【請求項３】
請求項１記載のプロジェクタシステムにおいて、
前記設定部は、前記操作部に対する所定の入力が行われてから、前記操作部に対して再度所定の入力が行われるまでの期間を前記受付期間とするプロジェクタシステム。
【請求項４】
請求項１ないし請求項３のいずれかに記載のプロジェクタシステムにおいて、
前記第１の要求が、前記プロジェクタのＩＰアドレスおよびプロジェクタ名を要求するプロジェクタ情報送信要求であり、
前記第２の要求が、前記プロジェクタのＩＰアドレスおよび会議名を要求する会議情報送信要求であり、
前記プロジェクタは、
プロジェクタ名、プロジェクタのＩＰアドレス、および、会議に使用されているときの会議名を記憶する記憶部と、
前記受付期間内に前記プロジェクタ情報送信要求を受け付けると前記記憶部からプロジェクタのＩＰアドレスおよびプロジェクタ名を読み出して前記送信端末へ送信し、前記受付期間内に前記会議情報送信要求を受け付けると前記記憶部からプロジェクタのＩＰアドレスおよび会議名を読み出して前記受信端末へ送信する応答部と、を備えることを特徴とするプロジェクタシステム。
【請求項５】
請求項１ないし請求項３のいずれかに記載のプロジェクタシステムにおいて、
前記第１の要求が、前記プロジェクタのＩＰアドレスおよびプロジェクタ名を要求するプロジェクタ情報送信要求と、データの送信許可を要求する、前記送信端末のＩＰアドレスを含むデータ送信許可要求であり、
前記第２の要求が、前記プロジェクタのＩＰアドレスおよび会議名を要求する会議情報送信要求と、前記受信端末のＩＰアドレスおよびデータ転送を行う送信端末のＩＰアドレスを含むデータ受信許可要求であり、
前記プロジェクタは、
プロジェクタ名、プロジェクタのＩＰアドレス、および、会議に使用されているときの会議名を記憶する記憶部と、
前記受付期間内に前記プロジェクタ情報送信要求を受け付けると前記記憶部からプロジェクタのＩＰアドレスおよびプロジェクタ名を読み出して前記送信端末へ送信し、前記受付期間内に前記会議情報送信要求を受け付けると前記記憶部からプロジェクタのＩＰアドレスおよび会議名を読み出して前記受信端末へ送信する応答部と、
前記受付期間内にデータ送信許可要求を受け付けるとデータの送信を許可する旨のデータ送信許可応答を前記送信端末へ送信し、前記受付期間内にデータ受信許可要求を受け付けると、前記データ転送を行う送信端末に対して、前記受信端末へデータの送信を行わせる旨のデータ受信許可応答を送信する接続許可部と、を備えることを特徴とするプロジェクタシステム。
【請求項６】
ネットワークを介して接続される送信端末、受信端末、とともにプロジェクタシステムを構成し、
前記送信端末からのデータ送信に関する第１の要求を受信し、
前記受信端末からのデータ送信に関する第２の要求を受信するプロジェクタであって、
利用者の入力を受け付ける操作部と、
投射部と、
前記操作部に対する所定の入力を契機として、前記第１の要求および第２の要求を受け付ける受付期間を定めるとともに、前記受付期間中は受付期間である旨の映像を前記投射部に投射させる設定部と、を備えることを特徴とするプロジェクタ。
【請求項７】
請求項６記載のプロジェクタにおいて、
前記設定部は、前記操作部に対する所定の入力が行われてから一定の期間を前記受付期間とするプロジェクタ。
【請求項８】
請求項７記載のプロジェクタにおいて、
前記設定部は、前記操作部に対する所定の入力が行われてから、前記操作部に対して再度所定の入力が行われるまでの期間を前記受付期間とするプロジェクタ。
【請求項９】
請求項６ないし請求項８のいずれかに記載のプロジェクタにおいて、
前記第１の要求が、前記プロジェクタのＩＰアドレスおよびプロジェクタ名を要求するプロジェクタ情報送信要求であり、
前記第２の要求が、前記プロジェクタのＩＰアドレスおよび会議名を要求する会議情報送信要求であり、
プロジェクタ名、プロジェクタのＩＰアドレス、および、会議に使用されているときの会議名を記憶する記憶部と、
前記受付期間内に前記プロジェクタ情報送信要求を受け付けると前記記憶部からプロジェクタのＩＰアドレスおよびプロジェクタ名を読み出して前記送信端末へ送信し、前記受付期間内に前記会議情報送信要求を受け付けると前記記憶部からプロジェクタのＩＰアドレスおよび会議名を読み出して前記受信端末へ送信する応答部と、を備えることを特徴とするプロジェクタ。
【請求項１０】
請求項６ないし請求項８のいずれかに記載のプロジェクタにおいて、
前記第１の要求が、前記プロジェクタのＩＰアドレスおよびプロジェクタ名を要求するプロジェクタ情報送信要求と、データの送信許可を要求する、前記送信端末のＩＰアドレスを含むデータ送信許可要求であり、
前記第２の要求が、前記プロジェクタのＩＰアドレスおよび会議名を要求する会議情報送信要求と、前記受信端末のＩＰアドレスおよびデータ転送を行う送信端末のＩＰアドレスを含むデータ受信許可要求であり、
プロジェクタ名、プロジェクタのＩＰアドレス、および、会議に使用されているときの会議名を記憶する記憶部と、
前記受付期間内に前記プロジェクタ情報送信要求を受け付けると前記記憶部からプロジェクタのＩＰアドレスおよびプロジェクタ名を読み出して前記送信端末へ送信し、前記受付期間内に前記会議情報送信要求を受け付けると前記記憶部からプロジェクタのＩＰアドレスおよび会議名を読み出して前記受信端末へ送信する応答部と、
前記受付期間内にデータ送信許可要求を受け付けるとデータの送信を許可する旨のデータ送信許可応答を前記送信端末へ送信し、前記受付期間内にデータ受信許可要求を受け付けると、前記データ転送を行う送信端末に対して、前記受信端末へデータの送信を行わせる旨のデータ受信許可応答を送信する接続許可部と、を備えることを特徴とするプロジェクタ。
【請求項１１】
ネットワークを介して接続される送信端末、受信端末、および、プロジェクタを備えたプロジェクタシステムで行われるデータ受け付け方法であって、
前記送信端末は前記プロジェクタに対してデータ送信に関する第１の要求を行い、
前記受信端末は前記プロジェクタに対してデータ送信に関する第２の要求を行い、
前記プロジェクタは、
利用者の入力を受け付ける操作部に対する所定の入力を契機として、前記送信端末通信部および受信端末通信部からの送信データを受け付ける受付期間を定めるとともに、前記受付期間中は受付期間である旨の映像を投射部に投射させることを特徴とするデータ受け付け方法。
【請求項１２】
請求項１１記載のデータ受け付け方法において、
前記プロジェクタは、前記操作部に対する所定の入力が行われてから一定の期間を前記受付期間とするデータ受け付け方法。
【請求項１３】
請求項１１記載のデータ受け付け方法において、
前記プロジェクタは、前記操作部に対する所定の入力が行われてから、前記操作部に対して再度所定の入力が行われるまでの期間を前記受付期間とするデータ受け付け方法。
【請求項１４】
請求項１１ないし請求項１３のいずれかに記載のデータ受け付け方法において、
前記第１の要求が、前記プロジェクタのＩＰアドレスおよびプロジェクタ名を要求するプロジェクタ情報送信要求であり、
前記第２の要求が、前記プロジェクタのＩＰアドレスおよび会議名を要求する会議情報送信要求であり、
前記プロジェクタは、
前記受付期間内に前記プロジェクタ情報送信要求を受け付けるとプロジェクタのＩＰアドレスおよびプロジェクタ名を前記送信端末へ送信し、前記受付期間内に前記会議情報送信要求を受け付けるとプロジェクタのＩＰアドレスおよび会議名を前記受信端末へ送信する応答部と、を備えることを特徴とするデータ受け付け方法。
【請求項１５】
請求項１１ないし請求項１３のいずれかに記載のデータ受け付け方法において、
前記第１の要求が、前記プロジェクタのＩＰアドレスおよびプロジェクタ名を要求するプロジェクタ情報送信要求と、データの送信許可を要求する、前記送信端末のＩＰアドレスを含むデータ送信許可要求であり、
前記第２の要求が、前記プロジェクタのＩＰアドレスおよび会議名を要求する会議情報送信要求と、前記受信端末のＩＰアドレスおよびデータ転送を行う送信端末のＩＰアドレスを含むデータ受信許可要求であり、
前記プロジェクタは、
前記受付期間内に前記プロジェクタ情報送信要求を受け付けるとプロジェクタのＩＰアドレスおよびプロジェクタ名を前記送信端末へ送信し、前記受付期間内に前記会議情報送信要求を受け付けるとプロジェクタのＩＰアドレスおよび会議名を前記受信端末へ送信し、
前記受付期間内にデータ送信許可要求を受け付けるとデータの送信を許可する旨のデータ送信許可応答を前記送信端末へ送信し、前記受付期間内にデータ受信許可要求を受け付けると、前記データ転送を行う送信端末に対して、前記受信端末へデータの送信を行わせる旨のデータ受信許可応答を送信することを特徴とするデータ受け付け方法。
【発明の詳細な説明】
【技術分野】
【０００１】
本発明は、ネットワークで接続された情報端末装置とプロジェクタを含むプロジェクタシステム、および該システムで行われるデータ通信制御方法に関する。
【背景技術】
【０００２】
複数の情報端末装置とプロジェクタとの間でネットワーク接続を行い、情報端末装置が保有する画像データファイルを共有化するシステムが特許文献１（特開２００５−２０８８２３号公報）に開示されている。【０００３】
特許文献２（特開２００５−２６６７７７号公報）には、プレゼンテーションを行うシステムとして、資料を格納したパーソナルコンピュータをプロジェクタに接続し、プロジェクタを用いてスクリーンに投射させた資料を参照しながらプレゼンテーションを進行するシステムが開示されている。【０００４】
図１は特許文献２に開示されるようなシステムを用いてプレゼンテーションや会議を行うプロジェクタシステムの構成を示すブロック図である。【０００５】
図１には、会議室や教室などの会議が行われる空間３００６、会議の行われない空間３００７、空間３００６に配置された、送信端末３００１、プロジェクタ３００２、および、受信端末３００３１、空間３００７に配置された受信端末３００３２、これらを接続するネットワーク３００９が示されている。【０００６】
図２は、ネットワーク３００９を介して行われる、送信端末３００１、プロジェクタ３００２、受信端末３００３１、受信端末３００３２間で行われる通信状態を示す図である。【０００７】
プロジェクタ３００２は、図２に示すように、送信端末３００１、受信端末３００３１，３００３２が行う接続処理により発生する接続要求を受けて画像データファイルの受付やＩＰアドレスの送信を行う。【０００８】
送信端末３００１は、ネットワーク９を介して保有する静止画、動画、音声などのデータをプロジェクタ３００２へ送信し、プロジェクタ３００２は送られてきたデータによる静止画、動画、音声を再生する。【０００９】
受信端末３００３１，３００３２は、ネットワーク９を介してデータを送信した送信端末３００１のＩＰアドレスの問い合わせをプロジェクタ３００２に対して行い、問い合わせを受け付けたプロジェクタ２より送信端末３００１のＩＰアドレスを取得する。ＩＰアドレス取得後、受信端末３００３１，３００３２は、取得したＩＰアドレスにより送信端末３００１にアクセスし、静止画、動画、音声などのデータを取得する。これにより、受信端末３００３１，３００３２は会議に参加することとなる。【００１０】
プロジェクタ３００２が送信端末３００１や受信端末３００３１の接続処理を受け付ける受付期間は、プロジェクタ３００２が動作している間とされており、送信端末３００１、受信端末３００３１，３００３２のユーザは使用する端末をプロジェクタ３００２に随時接続することができる。【００１１】
会議への参加者は、通常、プロジェクタ３００２の投射画像を確認することができる、プロジェクタ３００２と同じ空間３００６に配置されている受信端末３００３１の利用者であると考えられる。【００１２】
しかしながら、プロジェクタ２はネットワーク３００９を介して接続要求を受け付ける構成であるため、プロジェクタ３００２が配置されていない空間３００７に配置されている受信端末３００３２からの接続要求も、受信端末３００３１と同様に受け付けてしまう。このため、受信端末３００３２を操作する部外者に不正に会議に参加されてしまう危険性がある。【００１３】
上記の危険性を回避するため、特許文献１および特許文献２に記載されている技術では、送信端末３００１や受信装置３００３１をプロジェクタ３００２に接続する際にユーザ名やパスワードなどの接続認証情報を入力させ、接続認証を行うことで、部外者が会議に不正に参加することを防ぐこととしている。【００１４】
しかし、送信端末３００１や受信端末３００３１をプロジェクタ３００２に接続する際に、接続認証情報を入力するのは面倒であるうえに、なんらかの方法で、部外者が接続認証情報を入手している場合には会議に不正に参加することができてしまう。このため、部外者が会議に不正に参加することをより簡単、かつ確実に防ぐことのできる方法が求められている。【００１５】
また、秘密情報が用いられる会議などでは、会議の存在や内容を部外者に知られては困る場合がある。上記の構成では、問い合わせに応じてプロジェクタ３００２が送信端末のＩＰアドレスを送信し、かつ、プロジェクタ３００２は接続処理を常時受け付ける構成とされている。このため、会議の部外者であっても、プロジェクタ３００２のＩＰアドレスを知っている場合には、ネットワーク３００９を介してプロジェクタ３００２から会議で使用されている送信端末３００１のＩＰアドレス等の情報を受信し、会議で用いられるデータを取得することができるため、部外者に会議の存在や内容を知られてしまう危険性がある。
【特許文献１】特開２００５−２０８８２３号公報
【特許文献２】特開２００５−２６６７７７号公報
【発明の開示】
【００１６】
そこで、本発明の目的は、部外者が会議に不正に参加することをより簡単、かつ、確実に防ぐことができ、部外者に会議の存在や内容を知られる危険性を低減することができるプロジェクタシステム、プロジェクタ、およびデータ受け付け方法を提供することにある。
【００１７】
上記目的を達成するために本発明のプロジェクタシステムは、ネットワークを介して接続される送信端末、受信端末、および、プロジェクタを備えたプロジェクタシステムであって、
前記送信端末は前記プロジェクタに対してデータ送信に関する第１の要求を行う送信端末通信部を備え、
前記受信端末は前記プロジェクタに対してデータ送信に関する第２の要求を行う受信端末通信部を備え、
前記プロジェクタは、
利用者の入力を受け付ける操作部と、
投射部と、
前記操作部に対する所定の入力を契機として、前記前記第１の要求および第２の要求を受け付ける受付期間を定めるとともに、前記受付期間中は受付期間である旨の映像を前記投射部に投射させる設定部と、を備えることを特徴とする。
【００１８】
本発明のプロジェクタは、ネットワークを介して接続される送信端末、受信端末、とともにプロジェクタシステムを構成し、
前記送信端末からのデータ送信に関する第１の要求を受信し、
前記受信端末からのデータ送信に関する第２の要求を受信するプロジェクタであって、
利用者の入力を受け付ける操作部と、
投射部と、
前記操作部に対する所定の入力を契機として、前記第１の要求および第２の要求を受け付ける受付期間を定めるとともに、前記受付期間中は受付期間である旨の映像を前記投射部に投射させる設定部と、を備えることを特徴とする。
【００１９】
本発明によるデータ受け付け方法は、ネットワークを介して接続される送信端末、受信端末、および、プロジェクタを備えたプロジェクタシステムで行われるデータ受け付け方法であって、
前記送信端末は前記プロジェクタに対してデータ送信に関する第１の要求を行い、
前記受信端末は前記プロジェクタに対してデータ送信に関する第２の要求を行い、
前記プロジェクタは、
利用者の入力を受け付ける操作部に対する所定の入力を契機として、前記送信端末通信部および受信端末通信部からの送信データを受け付ける受付期間を定めるとともに、前記受付期間中は受付期間である旨の映像を投射部に投射させることを特徴とする。
【００２０】
上述したように、本発明においては、プロジェクタは、送信端末や受信端末からの要求を受け付ける期間を、利用者による所定の入力を契機として設定される期間としている。
【００２１】
したがって、プロジェクタが操作されたことを確認できないと、受付期間がわからず、プロジェクタから会議で使用されている送信端末の情報を受信できないため、会議が行われている空間と別の空間にいる部外者は、会議の存在を知ることができず、送信端末からデータを受信し、会議に参加することができない。
【００２２】
このように、部外者が会議に不正に参加することをより簡単に防ぐことができ、部外者に会議の存在を知られる危険性を低減させることができるという効果が得られる。
【図面の簡単な説明】
【００２３】
【図１】一般的なプロジェクタシステムの構成を示すブロック図である。
【図２】図１に示したプロジェクタシステムの動作を説明する図である。
【図３】本発明の第１の実施形態のプロジェクタシステムの構成を示すブロック図である。
【図４】図３に示した送信端末の構成の一例を示すブロック図である。
【図５】図３に示した受信端末の構成の一例を示すブロック図である。
【図６】図３に示したプロジェクタの構成の一例を示すブロック図である。
【図７】図３に示したプロジェクタシステムの動作を説明する図である。
【図８】図３に示した送信端末とプロジェクタの動作を説明する図である。
【図９】図３に示した受信端末とプロジェクタの動作を説明する図である。
【図１０】図６に示したユーザＩ／Ｆ部の動作を説明するフローチャートである。
【図１１】図６に示した応答部の動作を説明するフローチャートである。
【図１２】本発明の第２の実施形態のプロジェクタシステムにおける送信端末とプロジェクタの動作を説明する図である。
【図１３】本発明の第２の実施形態のプロジェクタシステムにおける受信端末とプロジェクタの動作を説明する図である。
【図１４】本発明の第３の実施形態のプロジェクタシステムのプロジェクタにおけるユーザＩ／Ｆ部の動作を説明するフローチャートである。
【発明を実施するための最良の形態】
【００２４】
次に、本発明を実施するための最良の形態について図面を参照して説明する。【００２５】
（第１の実施形態）
図３は、本発明によるプロジェクタシステムの第１の実施形態の構成を示すブロック図である。【００２６】
本実施形態は、図３に示されるように、送信端末１と、プロジェクタ２’と、受信端末３１と、これらを接続するネットワーク９を含む。送信端末１、プロジェクタ２’、および、受信端末３１は、会議室や教室などの会議が行われる空間６に配置されている。【００２７】
なお、以下の説明では、送信端末１は送信機能のみを有し、受信端末３１は受信機能のみを有するものとするが、これらは送受信機能を有する端末としてもよい。【００２８】
まず、送信端末１の構成について説明する。【００２９】
図４は、送信端末１の構成を示すブロック図である。図示するように、送信端末１は、ユーザＩ／Ｆ部１０１と、プロジェクタ情報収集部１０２と、データ送信先管理部１０３と、データ入力部１０４と、データ圧縮部１０５と、データ送信制御部１０６と、通信部１０７と、出力デバイス１０８とを有する。【００３０】
ユーザＩ／Ｆ部１０１
ユーザＩ／Ｆ部１０１は、ユーザからの指示入力を受け付け、プロジェクタ情報収集部１０２と、データ送信先管理部１０３と、データ入力部１０４と接続するもので、指示入力内容および接続する各部からの信号に応じて以下のように動作する。【００３１】
ユーザＩ／Ｆ部１０１は、ネットワーク９に接続されているプロジェクタについて、各プロジェクタのプロジェクタ名とＩＰアドレスとを含むプロジェクタ情報を収集する旨のプロジェクタ情報収集指示を受け付けると、これをプロジェクタ情報収集部１０２に出力する。【００３２】
また、ユーザＩ／Ｆ部１０１は、通信部１０７およびプロジェクタ情報収集部１０２を介して各プロジェクタのプロジェクタ情報を受信すると、プロジェクタ情報に含まれるプロジェクタ名の一覧を作成し、データの送信先となるプロジェクタの選択をユーザに促すために、作成したプロジェクタ名の一覧をデータ入力部に出力することにより出力デバイス１０８が備える表示部に表示させる。【００３３】
また、ユーザＩ／Ｆ部１０１は、ユーザにより、データの送信先として特定のプロジェクタ、本実施形態ではプロジェクタ２’を選択する入力操作が行われると、選択されたプロジェクタ２’のプロジェクタ情報をデータ送信先管理部１０３に出力する。【００３４】
また、ユーザから、静止画、動画、音声などのデータを受け付けると、これらをデータ入力部１０４へ出力する。【００３５】
プロジェクタ情報収集部１０２
プロジェクタ情報収集部１０２は、ユーザＩ／Ｆ部１０１から出力されたプロジェクタ情報収集指示を受け付けると、プロジェクタ情報を送信することを要求するプロジェクタ情報送信要求を、通信部１０７を介して、ネットワーク９に接続されている全てのプロジェクタに送信する。この後、通信部１０７を介して、各プロジェクタからのプロジェクタ情報を受信すると、プロジェクタ情報収集部１０２は、受信されたプロジェクタ情報をユーザＩ／Ｆ部１０１に出力する。【００３６】
データ送信先管理部１０３
データ送信先管理部１０３は、ユーザＩ／Ｆ部１０１から出力されたプロジェクタ情報を受け付けると、プロジェクタ情報に含まれるプロジェクタ２’のＩＰアドレスを抽出し、該ＩＰアドレスに基づいて、データの送信を許可することを要求するデータ送信許可要求を通信部１０７を介してプロジェクタ２’に送信する。なお、データ送信許可要求には、送信端末１の端末名やＩＰアドレスを含む端末情報も含まれている。【００３７】
また、データ送信先管理部１０３は、通信部１０７を介して、プロジェクタ２’からの、データの送信を許可するデータ送信許可応答を受信すると、プロジェクタ２’に対してデータの送信を開始するよう指示する送信開始指示をデータ送信先制御部１０６に出力する。【００３８】
また、データ送信先管理部１０３は、通信部１０７およびプロジェクタ２’を介して、受信端末３１からの、データの受信を許可するよう要求するデータ受信許可要求を受信すると、受信したデータ受信許可要求に含まれる受信端末３１のＩＰアドレスを抽出し、これを用いてデータの受信を許可するデータ受信許可応答を行う。【００３９】
データ接続先管理部１０３が行う上記のデータ受信許可応答では、データ受信許可要求より抽出した受信端末３１のＩＰアドレスを、転送先のＩＰアドレスとし、プロジェクタ情報より抽出したプロジェクタ２’のＩＰアドレスに対して通信部１０７を介して、プロジェクタ２’へ送信する。このとき、データ接続先管理部１０３は、データ送信先制御部１０６に対して、受信端末３１へのデータの送信を開始するよう指示する送信開始指示を出力する。【００４０】
データ入力部１０４
データ入力部１０４は、ユーザＩ／Ｆ部１０１から静止画、動画、音声などのデータが送られてくると、これらのデータをデータ圧縮部１０５および出力デバイス１０８に出力する。出力デバイス１０８は、表示部およびスピーカを備えるもので、これらを用いて入力されたデータに基づいた画面表示や鳴音動作を行う。このとき、データ入力部１０４は、出力デバイス１０８の表示部に表示されている画面をビデオキャプチャし、生成したフレームデータを、データ圧縮部１０５に出力する。【００４１】
データ圧縮部１０５
データ圧縮部１０５は、データ入力部１０４から出力されたデータを圧縮し、圧縮されたデータをデータ送信先制御部１０６に出力する。【００４２】
データ送信先制御部１０６
データ送信先制御部１０６は、データ送信先管理部１０３から送信開始指示が出力されると、データ圧縮部１０５から出力されたデータを、通信部１０７を介して、プロジェクタ２’や受信端末３１に送信する。【００４３】
通信部１０７
通信部１０７は、ネットワーク９を介してプロジェクタ２’や受信端末３１と通信し、プロジェクタ情報収集部１０２と、データ送信先管理部１０３と、データ送信制御部１０６と接続する。【００４４】
出力デバイス１０８
出力デバイス１０８は、表示部およびスピーカを備えるもので、これらを用いてデータ入力部１０４からのデータに基づいた画面表示や鳴音動作を行う。【００４５】
次に、受信端末３１の構成について説明する。【００４６】
図５に示すように、受信端末３１は、ユーザＩ／Ｆ部３０１と、会議情報収集部３０２と、データ受信先管理部３０３と、出力部３０４と、データ展開部３０５と、データ受信制御部３０６と、通信部３０７と、出力デバイス３０８とを有する。【００４７】
ユーザＩ／Ｆ部３０１
ユーザＩ／Ｆ部３０１は、ユーザからの指示入力を受け付け、会議情報収集部３０２と、データ送信先管理部３０３と、出力部３０４と接続するもので、指示入力内容および接続する各部からの信号に応じて以下のように動作する。【００４８】
ネットワーク９上で行われている会議の会議情報を収集する旨の会議情報収集指示を受け付けると、これを会議情報収集部３０２に出力する。なお、会議情報には、各プロジェクタが使用されている会議の会議名と、その会議で使用されている送信端末およびプロジェクタのＩＰアドレスと、が含まれている。【００４９】
また、ユーザＩ／Ｆ部３０１は、通信部３０７および会議情報収集部３０２を介して各プロジェクタから会議情報を受信すると、会議情報に含まれる会議名の一覧を作成し、参加する会議の選択をユーザに促すために、作成した会議名の一覧を表示させる表示データを出力部３０４に出力することにより出力デバイス３０８が備える表示部に表示させる。【００５０】
また、ユーザＩ／Ｆ部３０１は、ユーザにより、参加する会議を選択する指示入力を受け付けると、選択された会議の会議情報をデータ受信先管理部３０３に出力する。【００５１】
会議情報収集部３０２
会議情報収集部３０２は、ユーザＩ／Ｆ部３０１からの会議情報収集指示を受け付けると、会議情報を送信することを要求する会議情報送信要求を、通信部３０７を介してネットワーク９に接続されている全てのプロジェクタに対して送信する。この後、会議情報収集部３０２は、通信部３０７を介して各プロジェクタからの会議情報を受信すると、受信した会議情報をユーザＩ／Ｆ部３０１に出力する。【００５２】
データ受信先管理部３０３
データ受信先管理部３０３は、ユーザＩ／Ｆ部３０１からの会議情報を受け付けると、会議情報に含まれる送信端末１およびプロジェクタ２’のＩＰアドレスを抽出し、送信端末１のＩＰアドレスを転送先のＩＰアドレスとして含むデータ受信許可要求を、プロジェクタ２’のＩＰアドレスに基づいて、通信部３０７を介して、プロジェクタ２’に送信する。なお、データ受信許可要求には、受信端末３１の端末名やＩＰアドレスを含む端末情報も含まれている。【００５３】
また、データ受信先管理部３０３は、通信部３０７が、送信端末１からのデータ受信許可応答をプロジェクタ２’を介して受信すると、送信端末１からのデータの受信を開始することを指示する受信開始指示をデータ受信制御部３０６に出力する。【００５４】
なお、ここでは、受信端末３１と送信端末１との間で行うデータ受信許可要求およびデータ受信許可応答の送受信を、プロジェクタ２’を介して行うものとするが、プロジェクタ２’を介さずに受信端末３１と送信端末１が直接送受信を行うこととしてもよい。【００５５】
出力部３０４
出力部３０４は、出力デバイス３０８の表示部やスピーカの表示動作や鳴音動作を制御するもので、ユーザＩ／Ｆ部３０１から会議名の一覧を表示させる表示データを受け付けると、これによる会議名の一覧を出力デバイス３０８に表示させる。また、データ展開部３０６から静止画や動画のデータを受け付けた場合には、データを映像信号に変換して出力デバイス３０８の表示部に表示させ、データ展開部３０５から音声データを受け付けた場合には、データを音声信号に変換して出力デバイス３０８のスピーカから出力させる。【００５６】
データ展開部３０５
データ展開部３０５は、データ受信制御部３０６から受け付けたデータが圧縮されている場合、データを展開し、展開されたデータを出力部３０４に出力する。【００５７】
データ受信制御部３０６
データ受信制御部３０６は、データ受信先管理部３０３から受信開始指示が出力されると、出力された受信開始指示を通信部３０７に転送し、通信部３０７に送信端末１からデータを受信させる。データ受信制御部３０６は、通信部３０７において受信されたデータをデータ展開部３０５に出力する。【００５８】
通信部３０７
通信部３０７は、
ネットワーク９を介してプロジェクタ２’や送信端末１と通信し、会議情報収集部３０２と、データ受信先管理部３０３と、データ受信制御部３０６と接続する。【００５９】
出力デバイス３０８
出力デバイス１０８は、表示部およびスピーカを備えるもので、これらを用いて出力部３０４からのデータに基づいた画面表示や鳴音動作を行う。【００６０】
次に、プロジェクタ２’の構成について説明する。【００６１】
図６に示すように、プロジェクタ２’は、ユーザＩ／Ｆ部２０１と、応答部２０２と、接続先管理部２０３と、出力部２０４と、データ展開部２０５と、データ受信制御部２０６と、受信部である通信部２０７と、記憶部２０８と、を有する。【００６２】
ユーザＩ／Ｆ部２０１
ユーザＩ／Ｆ部２０１は、操作部２０１１と、設定部２０１２と、を有する。【００６３】
・操作部２０１１
操作部２０１１は、ユーザによる入力操作が行われるもので、入力操作内容を示す信号を設定部２０１２へ出力する。なお、操作部２０１１は、ボタンによる操作以外に、リモコン等による遠隔操作も受け付けるものとする。【００６４】
・設定部２０１２
設定部２０１２は、応答部２０２、記憶部２０８、接続先管理部２０３を構成する転送部２０３１および接続許可部２０３２、出力部２０４を構成する投射部２０４１と接続する。設定部２０１２は、操作部２０１１に対してユーザが会議名を入力する操作を行い、操作部２０１１からその内容を示す信号を受け付けると、会議名を会議情報として記憶部２０８に格納する。【００６５】
また、設定部２０１２は、ユーザにより、操作部２０１１に対してユーザがプロジェクタ情報送信要求の受付を開始する旨、および、会議情報送信要求の受付を開始する旨の入力を行い、操作部２０１１からその内容を示す信号を受け付けると、一定期間をプロジェクタ情報送信要求および会議情報送信要求の受付期間として設定する。【００６６】
また、設定部２０１２は、受付期間を設定した場合、時間の計測を開始し、応答の開始を指示する旨の応答開始指示を応答部２０２に出力するとともに、プロジェクタ情報送信要求および会議情報送信要求の受付期間中である旨の情報を投射するよう指示する旨の受付期間投射指示を、出力部２０４に出力する。【００６７】
また、設定部２０１２は、所定の時間の計測が終了すると、受付を終了する旨の応答終了指示を応答部２０２に出力するとともに、出力部２０４に出力していた受付期間投射指示を停止する。【００６８】
応答部２０２
応答部２０２は、通信部２０７およびユーザＩ／Ｆ部２０１の設定部２０１２と接続し、設定部２０１２からの応答開始指示が出力されてから応答終了指示が出力されるまでの間の受付期間においてのみ、プロジェクタ情報送信要求および会議情報送信要求を受け付けるもので、受付期間において、具体的には、以下に示す動作を行う。【００６９】
通信部２０７はネットワーク９を介して送信端末１からプロジェクタ情報送信要求を受信すると、応答部２０２へ出力し、ネットワーク９を介して受信端末３１から会議情報送信要求を受信すると、応答部２０２へ出力する。【００７０】
応答部２０２は、通信部２０７を介して送信端末１からのプロジェクタ情報送信要求を受信すると、受付期間中である場合には、設定部２０１２を介して記憶部２０８に格納されているプロジェクタ情報を読み出し、通信部２０７を介して送信端末１に返信する。受付期間外に送信端末１からプロジェクタ情報送信要求が受信されても、プロジェクタ情報を返信しない。【００７１】
また、応答部２０２は、通信部２０７を介して受信端末３１からの会議情報送信要求からプロジェクタ情報送信要求を受信すると、受付期間中である場合には、設定部２０１２を介して記憶部２０８に格納されている会議情報を読み出し、通信部２０７を介して受信端末３１に返信する。受付期間外に受信端末３１から会議情報送信要求が受信されても、プロジェクタ情報を返信しない。【００７２】
接続先管理部２０３
接続先管理部２０３は、転送部２０３１と、接続許可部２０３２と、を有する。【００７３】
・転送部２０３１
転送部２０３１は、通信部２０７、設定部２０１２、接続許可部２０３２と接続するもので、通信部２０７を介して、受信端末３１からのデータ受信許可要求を受信すると、受信したデータ受信許可要求に含まれる転送先のＩＰアドレス（送信端末１のＩＰアドレス）を抽出し、受信したデータ受信許可要求を、抽出した転送先のＩＰアドレスに基づいて、通信部２０７を介して、送信端末１に転送する。なお、転送部２０３１は、プロジェクタ２’に送信端末１が接続されていない状態で、受信端末３１からのデータ受信許可要求を受信した場合には、会議が開始されていない旨の応答を受信端末３１へ返信する。【００７４】
・接続許可部２０３２
接続許可部２０３２は、データ制御受信部２０６、通信部２０７、記憶部２０８、設定部２０１２と接続するもので、通信部２０７を介して送信端末１からデータ受信許可応答を受信すると、受信したデータ受信許可応答に含まれる転送先のＩＰアドレス（受信端末３１のＩＰアドレス）を抽出し、受信したデータ受信許可応答を、抽出した転送先のＩＰアドレスに基づいて、通信部２０７を介して、受信端末３１に転送する。【００７５】
また、接続許可部２０３２は、通信部２０７を介して送信端末１からデータ送信許可要求を受信すると、データ送信許可応答を、通信部２０７を介して送信端末１に返信するともに、送信端末１からのデータの受信を開始する旨の受信開始指示をデータ受信制御部２０６に出力する。なお、接続許可部２０３２は、プロジェクタ２’に既に他の送信端末が接続されている状態で、送信端末１からデータ送信許可要求を受信すると、プロジェクタ２’が会議で使用されている旨の応答を返信する。【００７６】
また、接続許可部２０３２は、受信したデータ送信許可要求に含まれる送信端末１のＩＰアドレスを抽出し、抽出された送信端末１のＩＰアドレスを、記憶部２０８に格納されている会議名と対応付けて会議情報として記憶部２０８に格納する。なお、接続許可部２０３２は、会議名が記憶部２０８に格納されていない場合、データ送信許可要求に含まれる送信端末１の端末名を会議名として用いる。【００７７】
出力部２０４
出力部２０４は、投射部２０４１およびスピーカ２０４２を有しており、投射部２０４１はデータ展開部２０５および設定部２０１２からの信号による映像の表示を行い、スピーカ２０４２はデータ展開部２０５からの信号により鳴音動作を行う。
投射部２０４１は、データ展開部２０５から出力されたデータが静止画や動画データであれば、データを映像信号に変換して投射部から投射面に投射する。スピーカ２０４２は、データ展開部２０５から出力されたデータが音声データであれば、データを音声信号に変換して出力する。【００７８】
また、投射部２０４１は、設定部２０１２から受付期間投射指示が出力されてから、受付期間投射終了指示が出力されるまでの間、プロジェクタ情報送信要求および会議情報送信要求の受付期間中である旨の映像を、投射面に投射する。【００７９】
データ展開部２０５
データ展開部２０５は、データ受信制御部２０６からのデータにより、投射部２０４１およびスピーカ２０４２の表示動作および鳴音動作を行わせる。このとき、データ受信制御部２０６からのデータが圧縮されている場合には、データを展開して、展開されたデータにより投射部２０４１およびスピーカ２０４２に表示動作および鳴音動作を行わせる。【００８０】
データ受信制御部２０６
データ受信制御部２０６は、接続許可部２０３２から受信開始指示が出力されると、受信開始指示を通信部２０７に転送し、通信部２０７を介して送信端末１からのデータを受信し、受信データをデータ展開部２０５に出力する。【００８１】
通信部２０７
通信部２０７は、送信端末１や受信端末３１と通信する。【００８２】
記憶部２０８
記憶部２０８は、プロジェクタ情報および会議情報を格納する。
なお、ネットワーク９の伝送速度が十分に速ければ、データの圧縮および展開は必要ないため、データ圧縮部１０５、データ展開部２０５，３０５は必須の構成要素ではない。【００８３】
以下に、本実施形態のプロジェクタシステムの動作について、図７〜図１１を参照して説明する。【００８４】
図７は、本実施形態のプロジェクタシステムの動作の概要を示す図である。【００８５】
図７を参照すると、本実施形態のプロジェクタ２’は、プロジェクタ情報送信要求および会議情報送信要求の受付期間を、ユーザによる受付開始指示入力が行われてからの一定期間としている。【００８６】
そのため、特定の空間６に存在する受信端末３１のユーザは、自分でプロジェクタ２’を操作する場合は勿論のこと、他ユーザが操作する場合も、その操作を目視で確認することができるため、受付期間が開始したことを知ることができる。受信端末３１のユーザは、受付期間中に接続処理を行うための会議情報送信要求をプロジェクタ２’に送信することで、プロジェクタ２’から会議情報を受信することができる。そのため、受信端末３１のユーザは、送信端末１からデータを受信し、その会議に参加することができる。【００８７】
しかし、別の空間７に存在する受信端末３２のユーザ（部外者）は、プロジェクタ２’が操作されたことを確認できないため、受付期間が開始されたことがわからない。図７に示されるように、適当な時刻に接続処理を行うための会議情報送信要求をプロジェクタ２’に送信した場合には、受付期間でないことから、プロジェクタ２’は会議情報を送信することはない。このため、受信端末３２のユーザ（部外者）は、特定の空間６で行われている会議の存在を知ることができず、その会議に不正に参加することもできない。【００８８】
次に、本実施形態のプロジェクタシステムの詳細な動作について、図８および図９を参照して説明する。【００８９】
本実施形態のプロジェクタシステムの動作は、図８に示される、送信端末１がプロジェクタ２’にデータを送信する会議開始動作と、図９に示される、受信端末３１がプロジェクタ２’から会議情報を受信し、会議情報に含まれている送信端末１のＩＰアドレスに基づいて送信端末１からデータを受信する会議参加動作と、がある。【００９０】
最初に、会議開始動作について図８を参照して説明する。【００９１】
図８を参照すると、まず、プロジェクタ２’において、特定の空間６のいずれかのユーザが、ユーザＩ／Ｆ部２０１にて受付開始指示入力を行う（ステップＢ１）。【００９２】
ユーザＩ／Ｆ部２０１は、受付開始指示入力が行われてからの一定期間をプロジェクタ情報送信要求および会議情報送信要求の受付期間に設定し、応答開始指示を応答部２０２に出力する（ステップＢ２）。これを受けて、応答部２０２は、プロジェクタ情報送信要求および会議情報送信要求の受付を開始する。【００９３】
また、ユーザＩ／Ｆ部２０１は、受付期間投射指示を投射部２０４１に出力する（ステップＢ３）。これを受けて、投射部２０４１は、プロジェクタ情報送信要求および会議情報送信要求の受付期間中である旨の映像を投射面に投射し、受付期間が開始した旨を送信端末１や受信端末３１のユーザに知らせる。【００９４】
次に、送信端末１において、送信端末１のユーザが、プロジェクタ情報送信要求および会議情報送信要求の受付期間中であることを確認し、ユーザＩ／Ｆ部１０１にてプロジェクタ情報収集指示の操作を行う（ステップＡ１）。【００９５】
ユーザＩ／Ｆ部１０１は、プロジェクタ情報収集指示をプロジェクタ情報収集部１０２に出力する（ステップＡ２）。これを受けて、プロジェクタ情報収集部１０２は、プロジェクタ情報送信要求を、ネットワーク９に接続されている全てのプロジェクタに送信する（ステップＡ３）。【００９６】
プロジェクタ２’において、応答部２０２は、受付期間中に、送信端末１からプロジェクタ情報送信要求が受信されると、記憶部２０８に格納されているプロジェクタ情報を、送信端末１に返信する（ステップＡ４）。【００９７】
送信端末１において、プロジェクタ情報収集部１０２は、プロジェクタ２’からプロジェクタ情報が受信されると、受信されたプロジェクタ情報をユーザＩ／Ｆ部１０１に出力する（ステップＡ５）。【００９８】
ユーザＩ／Ｆ部１０１は、プロジェクタ情報収集部１０２から出力されたプロジェクタ情報に基づいてプロジェクタ名の一覧を作成し、データ入力部１０４を介して出力デバイス１０８の表示部に表示させ、送信端末１のユーザに提示する（ステップＡ６）。送信端末１のユーザは、表示された一覧を参照し、データの送信先となるプロジェクタを選択することができる。【００９９】
送信端末１のユーザが、ユーザＩ／Ｆ部１０１において、データの送信先となるプロジェクタ２’を選択する操作を行う（ステップＡ７）。このとき、特許文献１や特許文献２などに記載されている技術と同様に、送信端末１のユーザに接続認証情報を入力させ、プロジェクタ２’において接続認証を行ってもよい。【０１００】
ユーザＩ／Ｆ部１０１は、選択されたプロジェクタ２’のプロジェクタ情報をデータ送信先管理部１０３に出力する（ステップＡ８）。これを受けて、データ送信先管理部１０３は、データ送信許可要求をプロジェクタ２’に送信する（ステップＡ９）。【０１０１】
プロジェクタ２’において、接続先管理部２０３は、送信端末１からのデータ送信許可要求を受信すると、データ送信許可応答を送信端末１に返信するとともに（ステップＡ１０）、受信開始指示をデータ受信制御部２０６に出力する（ステップＡ１１）。【０１０２】
送信端末１において、データ送信先管理部１０３は、プロジェクタ２’からのデータ送信許可応答を受信すると、送信開始指示をデータ送信先制御部１０６に出力する（ステップＡ１２）。【０１０３】
以降、送信端末１から送信されたデータが、プロジェクタ２’により投射される。【０１０４】
なお、プロジェクタ２’において、ユーザＩ／Ｆ部２０１は、受付開始指示入力が行われてから一定期間が経過すると、応答終了指示を応答部２０２に出力する（ステップＢ４）。これを受けて、応答部２０２は、プロジェクタ情報送信要求および会議情報送信要求の受付を終了する。【０１０５】
また、ユーザＩ／Ｆ部２０１は、受付期間投射終了指示を出力部２０４に出力する（ステップＢ５）。これを受けて、投射部２０４１は、プロジェクタ情報送信要求および会議情報送信要求の受付期間中である旨の情報の投射を終了し、受付期間ではないことを送信端末１や受信端末３１のユーザに知らせる。【０１０６】
次に、会議参加動作について図９を参照して説明する。【０１０７】
なお、図９において、図８に示した会議開始動作と同様の動作については、図８と同様の符号を付し、適宜説明を省略する。【０１０８】
図９を参照すると、まず、図８と同様のステップＢ１〜Ｂ３の処理が行われ、プロジェクタ２’がプロジェクタ情報送信要求および会議情報送信要求の受付を開始する。【０１０９】
受信装置３１において、受信端末３１のユーザが、プロジェクタ情報送信要求および会議情報送信要求の受付期間中であることを確認し、ユーザＩ／Ｆ部３０１にて、会議情報収集指示の操作を行う（ステップＣ１）。【０１１０】
ユーザＩ／Ｆ部３０１は、会議情報収集指示を会議情報収集部３０２に出力する（ステップＣ２）。これを受けて、会議情報収集部３０２は、会議情報送信要求を、ネットワーク９に接続されている全てのプロジェクタに送信する（ステップＣ３）。【０１１１】
プロジェクタ２’において、応答部２０２は、受付期間中に、受信端末３１からの会議情報送信要求を受信すると、記憶部２０８に格納されている会議情報を受信端末３１に返信する（ステップＣ４）。【０１１２】
受信端末３１において、会議情報収集部３０２は、プロジェクタ２’からの会議情報を受信すると、受信した会議情報をユーザＩ／Ｆ部３０１に出力する（ステップＣ５）。【０１１３】
次に、ユーザＩ／Ｆ部３０１は、会議情報収集部３０２から出力された会議情報に基づいて会議名の一覧を作成し、出力部３０４を介して出力デバイス３０８の表示部に表示させ、受信端末３１のユーザに提示する（ステップＣ６）。受信端末３１のユーザは、会議名の一覧をもとに、参加する会議を選択することができる。【０１１４】
次に、受信端末３１のユーザが、ユーザＩ／Ｆ部３０１において、参加する会議を選択する操作を行う（ステップＣ７）。このとき、特許文献１や特許文献２などに記載されている技術と同様に、受信端末３１のユーザに接続認証情報を入力させ、プロジェクタ２’もしくは送信端末１において接続認証を行ってもよい。【０１１５】
ユーザＩ／Ｆ部３０１は、選択された会議の会議情報をデータ受信先管理部３０３に出力する（ステップＣ８）。これを受けて、データ受信先管理部３０３は、データ受信許可要求をプロジェクタ２’に送信する（ステップＣ９）。【０１１６】
プロジェクタ２’において、接続先管理部２０３は、受信端末３１からデータ受信許可要求を受信すると、受信したデータ受信許可要求を送信端末１に転送する（ステップＣ１０）。【０１１７】
送信端末１は、プロジェクタ２’からデータ受信許可要求が受信されると、データ受信許可応答をプロジェクタ２’に送信するとともに、受信端末３１へのデータの送信を開始する。【０１１８】
プロジェクタ２’において、接続先管理部２０３は、送信端末１からのデータ受信許可応答を受信すると（ステップＣ１１）、受信したデータ受信許可応答を送信端末３１に転送する（ステップＣ１２）。【０１１９】
受信端末３１において、データ受信先管理部３０３は、プロジェクタ２’からのデータ受信許可応答を受信すると、受信開始指示をデータ受信制御部３０６に出力する（ステップＣ１３）。【０１２０】
以降、送信端末１から、プロジェクタ２’以外に、受信端末３１に対してもデータが送信され、送信されたデータが受信端末３１にて表示される。【０１２１】
なお、受付開始指示入力から一定期間が経過すると、図８のステップＢ４，Ｂ５と同様の処理が行われ、プロジェクタ２’がプロジェクタ情報送信要求および会議情報送信要求の受付を終了する。【０１２２】
次に、本発明のプロジェクタシステムの特徴部分となる、プロジェクタ２’の動作について図１０および１１を参照して詳細に説明する。【０１２３】
本実施形態のプロジェクタ２’の特徴的な動作は、大きく分けて、ユーザによる操作を受け付ける操作受付動作と、送信端末１および受信端末３１からプロジェクタ情報送信要求および会議情報送信要求を受け付ける要求受付動作と、に分けることができる。【０１２４】
最初に、操作受付動作について、図１０に示すフローチャートを参照して説明する。なお、操作受付動作は、ユーザＩ／Ｆ部２０１が行う動作である。【０１２５】
図１０を参照すると、ユーザＩ／Ｆ部２０１は、ユーザによる操作が行われると、ユーザが行った操作が受付開始指示入力であるか否かを判定する（ステップ１００１）。【０１２６】
ユーザＩ／Ｆ部２０１は、ユーザが行った操作が受付開始指示入力であった場合、受付開始指示入力が行われてからの一定期間をプロジェクタ情報送信要求および会議情報送信要求の受付期間として設定し、受付期間投射指示を出力部２０４に出力する（ステップ１００２）。また、ユーザＩ／Ｆ部２０１は、応答開始指示を応答部２０２に出力する（ステップ１００３）。【０１２７】
次に、ユーザＩ／Ｆ部２０１は、タイマー機能を用いて、受付期間として、所定の時間の計測を開始する（ステップ１００４）。【０１２８】
ユーザＩ／Ｆ部２０１は、所定の時間の計測終了を待ち（ステップ１００５）、所定の時間の計測が終了すると、応答終了指示を応答部２０２に出力し（ステップ１００６）、受付期間投射終了指示を出力部２０４に出力する（ステップ１００７）。【０１２９】
以降、ユーザＩ／Ｆ部２０１は、ステップ１００１〜１００７の処理を繰り返し行う。【０１３０】
次に、要求受付動作について、図１１に示すフローチャートを参照して説明する。なお、要求受付動作は、応答部２０２が行う動作である。【０１３１】
図１１を参照すると、応答部２０２は、ユーザＩ／Ｆ部２０１から応答開始指示が出力されたか否かを監視する（ステップ１１０１）。【０１３２】
応答部２０２は、ユーザＩ／Ｆ部２０１から応答開始指示が出力されると、プロジェクタ情報送信要求および会議情報送信要求の受付を開始する（ステップ１１０２）。【０１３３】
次に、応答部２０２は、プロジェクタ情報送信要求および会議情報送信要求が受信されたか否かを監視し（ステップ１１０３）、プロジェクタ情報送信要求もしくは会議情報送信要求が受信されると、プロジェクタ情報もしくは会議情報を返信する（ステップ１１０４）。【０１３４】
また、応答部２０２は、プロジェクタ情報送信要求および会議情報送信要求が受信されたか否かを監視している間中、ユーザＩ／Ｆ部２０１から応答終了指示が出力されたか否かを監視する（ステップ１１０５）。【０１３５】
応答部２０２は、ユーザＩ／Ｆ部２０１から応答終了指示が出力されると、プロジェクタ情報送信要求および会議情報送信要求の受付を終了する（ステップ１１０６）。【０１３６】
以降、応答部２０２は、ステップ１１０１〜１１０６の処理を繰り返す。【０１３７】
上述したように、本実施形態においては、プロジェクタ２’は、会議情報送信要求の受付期間を、ユーザによる受付開始指示入力が行われてからの一定期間とし、受付期間においてのみ、受信端末３１から会議情報送信要求が受信されると、送信端末１のＩＰアドレスを含む会議情報を返信する。【０１３８】
したがって、プロジェクタ２’が操作されたことを確認できないと、受付期間がわからず、プロジェクタ２’から会議で使用されている送信端末１の情報を受信できないため、会議が行われている空間６と別の空間７にいるユーザ（部外者）は、会議の存在を知ることができず、送信端末１からデータを受信し、会議に参加することができない。【０１３９】
このように、部外者が会議に不正に参加することをより簡単に防ぐことができ、部外者に会議の存在を知られる危険性を低減することができるという効果が得られる。【０１４０】
また、ユーザによる受付開始指示入力が行われてからの一定期間しかプロジェクタ情報送信要求や会議情報送信要求を受け付けないため、送信端末１や受信端末３１において、所望しない多数のプロジェクタ情報や会議情報が収集され、ユーザが、どのプロジェクタに接続してよいか、どの会議に参加してよいかわからず混乱する、といったことを防止することができる。【０１４１】
また、プロジェクタ情報送信要求および会議情報送信要求の受付期間中、プロジェクタ情報送信要求および会議情報送信要求の受付期間中である旨の情報を投射面に投射することで、送信端末１や受信端末３１のユーザに、受付期間中である旨を知らせることができる。【０１４２】
（第２の実施形態）
次に、本発明による第２の実施形態について説明する。【０１４３】
第１の実施形態におけるプロジェクタ２’は、ユーザによる受付開始指示入力が行われてからの一定期間を超えるとプロジェクタ情報送信要求および会議情報送信要求を受け付けないものであったのに対し、本実施形態においては、プロジェクタ２’は、プロジェクタ情報送信要求および会議情報送信要求に加え、データ送信許可要求およびデータ受信許可要求も受け付けない。【０１４４】
また、本実施形態では、接続先管理部２０３が、接続要求や参加要求を受け付けるための受付期間を設けるとともに、受付期間外の接続要求や参加要求の送信元を学習して、受付期間外の接続要求回数の多い送信元を部外者と推定することを特徴とするものである。【０１４５】
本実施形態の構成は、第１の実施形態と同様であり、動作のみが異なるものであるため、以下では、第１の実施形態と異なる構成要素の動作についてのみ説明する。【０１４６】
本発明の第２の実施形態のプロジェクタシステムは、第１の実施形態と比較して、プロジェクタ２’の動作が異なる。【０１４７】
本実施形態のプロジェクタ２’の構成は、図６に示した第１の実施形態のプロジェクタ２’と同様であるが、ユーザＩ／Ｆ部２０１を構成する設定部２０１２の動作、および接続先管理部２０３を構成する転送部２０３１および接続許可部２０３２の動作が異なる。【０１４８】
・設定部２０１２
設定部２０１２は、ユーザにより、操作部２０１１にて受付開始指示入力が行われると、受付開始指示入力が行われてからの一定期間を、プロジェクタ情報送信要求、会議情報送信要求、データ送信許可要求、およびデータ受信許可要求を含む各要求の受付期間として設定する。ここで、受付開始指示入力とは、応答開始指示の操作と、データ送信許可要求およびデータ受信許可要求の受付を開始するよう指示する受付開始指示の操作と、を１操作にまとめた操作である。なお、応答開始指示の操作と、受付開始指示の操作と、を別々に行ってもよい。【０１４９】
また、設定部２０１２は、操作部２０１１にて受付開始指示入力が行われると、応答開始指示を応答部２０２に出力し、受付開始指示を接続先管理部２０３に出力する。また、設定部２０１２は、各要求の受付期間中である旨の情報を投射するよう指示する受付期間投射指示を、出力部２０４に出力する。【０１５０】
また、設定部２０１２は、所定の時間の計測が終了すると、応答終了指示を、応答部２０２に出力し、データ送信許可要求およびデータ受信許可要求の受付を終了するよう指示する受付終了指示を、接続先管理部２０３に出力する。また、設定部２０１２は、投射面に投射されている、各要求の受付期間中である旨の情報を消すよう指示する受付期間投射終了指示を、出力部２０４に出力する。【０１５１】
・接続許可部２０３２
接続許可部２０３２は、ユーザＩ／Ｆ部２０１から受付開始指示が出力されてから、受付終了指示が出力されるまでの受付期間においてのみ、データ送信許可要求を受け付ける。【０１５２】
具体的には、接続許可部２０３２は、受付期間に、通信部２０７を介して送信端末１からのデータ送信許可要求を受信すると、データ送信許可応答を、通信部２０７を介して送信端末１に返信する。接続許可部２０３２は、受付期間外に送信端末１からのデータ送信許可要求を受信しても、データ送信許可応答を送信しない。【０１５３】
また、接続許可部２０３２は、データ送信許可要求に含まれる端末情報を抽出し、受付期間外にデータ送信許可要求を送信してくる回数が所定数以上の送信端末については、抽出した端末情報を、受け付けを拒否すべき端末（以下、拒否端末と称する）の端末情報として記憶部２０８に格納する。【０１５４】
接続許可部２０３２は、記憶部２０８に拒否端末の端末情報を記憶した後には、受付期間中に通信部２０７を介してデータ送信許可要求を受信すると、記憶部２０８を参照することにより拒否端末からのデータ送信許可要求であるかを確認し、拒否端末からのデータ送信許可要求である場合には、データ受信許可応答を返信しない。【０１５５】
接続許可部２０３２は、さらに、拒否端末からのデータ送信許可要求を受信した場合に、部外者が操作する送信端末からのデータ送信許可要求である可能性が高いとして、その旨を示すアラート映像を、出力部２０４の投射部２０４１により投射させることとしてもよい。【０１５６】
・転送部２０３１
転送部２０３１は、ユーザＩ／Ｆ部２０１から受付開始指示が出力されてから、受付終了指示が出力されるまでの受付期間においてのみ、データ受信許可要求を受け付ける。【０１５７】
具体的には、転送部２０３１は、受付期間に、通信部２０７を介して受信端末３１からのデータ受信許可要求を受信すると、受信したデータ受信許可要求を送信端末１に転送する。受付期間外に受信端末３１からのデータ受信許可要求を受信しても、送信端末１に転送しない。【０１５８】
また、転送部２０３１は、データ送信許可要求に含まれる端末情報を抽出し、受付期間外にデータ送信許可要求を送信してくる回数が所定数以上の送信端末については、抽出した端末情報を、受け付けを拒否すべき端末（以下、拒否端末と称する）の端末情報として記憶部２０８に格納する。【０１５９】
転送部２０３１は、記憶部２０８に拒否端末の端末情報を記憶した後には、受付期間中に、受付期間中に通信部２０７を介してデータ受信許可要求を受信すると、記憶部２０８を参照することにより拒否端末からのデータ送信許可要求であるかを確認し、拒否端末からのデータ送信許可要求である場合には、送信端末１に転送しない。【０１６０】
転送部２０３１は、拒否端末からのデータ送信許可要求を受信した場合に、接続許可部２０３２と同様に、その旨を示すアラート映像を、出力部２０４の投射部２０４１により投射させることとしてもよい。【０１６１】
また、転送部２０３１は、拒否端末からのデータ送信許可要求を受信した場合に、部外者が操作する受信端末の可能性が高い旨の情報とともにデータ受信許可要求を、通信部２０７を介して送信端末１に転送することとしてもよい。【０１６２】
以下に、本実施形態のプロジェクタシステムの動作について、図１２および図１３を参照して説明する。【０１６３】
本実施形態のプロジェクタシステムの動作は、図１２に示される会議開始動作と、図１３に示される会議参加動作がある。【０１６４】
最初に、会議開始動作について図１２を参照して説明する。【０１６５】
なお、図１２において、図８に示した第１の実施形態の会議開始動作と同様の動作については、図８と同様の符号を付し、説明を省略する。【０１６６】
プロジェクタ２’において、特定の空間６のいずれかのユーザが、ユーザＩ／Ｆ部２０１にて受付開始指示入力を行う（ステップＢ１１）。【０１６７】
ユーザＩ／Ｆ部２０１は、受付開始指示入力が行われてからの一定期間を各要求の受付期間に設定し、応答開始指示を応答部２０２に出力する（ステップＢ２）。これを受けて、応答部２０２は、プロジェクタ情報送信要求および会議情報送信要求の受付を開始する。【０１６８】
また、ユーザＩ／Ｆ部２０１は、受付開始指示を接続先管理部２０３に出力する（ステップＢ１２）。これを受けて、接続先管理部２０３は、データ送信許可要求およびデータ受信許可要求の受付を開始する。【０１６９】
また、ユーザＩ／Ｆ部２０１は、受付期間投射指示を投射部２０４１に出力する（ステップＢ１３）。これを受けて、投射部２０４１は、各要求の受付期間中である旨の情報を、投射面に投射する。【０１７０】
以降、図８と同様のステップＡ１〜Ｂ１２の処理が行われ、送信端末１から送信されたデータが、プロジェクタ２’により投射される。【０１７１】
ただし、ステップＡ１０において、接続先管理部２０３は、受付期間中に、送信端末１からのデータ送信許可要求を受信すると、データ送信許可応答を送信端末１に返信する。【０１７２】
なお、プロジェクタ２’において、ユーザＩ／Ｆ部２０１は、受付開始指示入力が行われてから一定期間が経過すると、応答終了指示を応答部２０２に出力する（ステップＢ４）。これを受けて、応答部２０２は、プロジェクタ情報送信要求および会議情報送信要求の受付を終了する。【０１７３】
また、ユーザＩ／Ｆ部２０１は、受付終了指示を接続先管理部２０３に出力する（ステップＢ１４）。これを受けて、接続先管理部２０３は、データ送信許可要求およびデータ受信許可要求の受付を終了する。【０１７４】
またユーザＩ／Ｆ部２０１は、受付期間投射終了指示を出力部２０４に出力する（ステップＢ１５）。これを受けて、出力部２０４は、各要求の受付期間中である旨の情報の投射を終了する。【０１７５】
次に、会議参加動作について図１３を参照して説明する。【０１７６】
なお、図１３において、図９に示した第１の実施形態の会議参加動作、および図１２に示した会議開始動作と同様の動作については、図９および図１２と同様の符号を付し、適宜説明を省略する。【０１７７】
図１３を参照すると、まず、図１２と同様のステップＢ１１，Ｂ２，Ｂ１２，Ｂ１３の処理が行われ、プロジェクタ２’が各要求の受付を開始する。【０１７８】
以降、図９と同様のステップＣ１〜Ｃ１２の処理が行われ、送信端末１から、プロジェクタ２’以外に、受信端末３１に対してもデータが送信され、送信されたデータが受信端末３１にて表示される。【０１７９】
ただし、ステップＣ１０において、接続先管理部２０３は、受付期間中においてのみ、受信端末３１からデータ受信許可要求が受信されると、受信されたデータ受信許可要求を送信端末１に転送する。【０１８０】
なお、受付開始指示入力から一定期間が経過すると、図１２と同様のステップＢ４，Ｂ１４，Ｂ１５の処理が行われ、プロジェクタ２’が各要求の受付を終了する。【０１８１】
上述したように、本実施形態においては、プロジェクタ２’は、プロジェクタ情報送信要求および会議情報送信要求に加え、データ送信許可要求およびデータ受信許可要求も、ユーザによる受付開始指示入力が行われてからの一定期間のみ受け付ける。【０１８２】
そのため、第１の実施形態と比較して、特定の空間６と別の空間７にいるユーザ（部外者）にネットワーク９を介して会議に不正に参加される危険性をより軽減することができるという効果が得られる。【０１８３】
また、プロジェクタ２’は、受付期間外にデータ送信許可要求およびデータ受信許可要求を送信してくる回数が多い送信端末および受信端末の端末情報を、拒否端末の端末情報として記憶部２０８に格納し、拒否端末からのデータ送信許可要求およびデータ受信許可要求を受け付けることはない。【０１８４】
そのため、部外者が受付期間を狙って意図的にデータ送信許可要求やデータ受信許可要求の送信を繰り返すような場合にも対処することができる。【０１８５】
（第３の実施形態）
次に、本発明による第３の実施形態について説明する。【０１８６】
第１の実施形態および第２の実施形態では、受付開始指示入力が行われてから、タイマーで規定される一定期間が受付期間として設定されるものであったのに対し、本実施形態では、受付開始指示入力が行われてから受付期間終了指示入力が行われるまでの期間を受付期間とする点で第１の実施形態および第２の実施形態と異なる。【０１８７】
本発明の第３の実施形態のプロジェクタシステムは、第１の実施形態および第２の実施形態と比較して、プロジェクタ２’の動作が異なる。本実施形態のプロジェクタ２’の構成は、図６に示した第１の実施形態および第２の実施形態のプロジェクタ２’と同様であるが、ユーザＩ／Ｆ部２０１が有する設定部２０１２の動作が異なる。以下、第１および第２の実施形態と異なる動作についてのみ説明する。【０１８８】
設定部２０１２は、ユーザにより、操作部２０１１において受付開始指示入力が行われてから、受付期間終了指示入力が行われるまでの期間を、各要求の受付期間として設定する。ここで、受付開始指示入力は、第２の実施形態の受付開始指示入力と同様の操作とする。また、受付期間終了指示入力は、応答終了指示の操作と、受付終了指示の操作と、を１操作にまとめた操作である。なお、応答終了指示の操作と、受付終了指示の操作と、を別々に行ってもよい。【０１８９】
また、設定部２０１２は、ユーザにより、操作部２０１１において受付期間終了指示入力が行われると、応答終了指示を応答部２０２に出力し、受付終了指示を接続先管理部２０３に出力する。また、設定部２０１２は、受付期間投射終了指示を出力部２０４に出力する。【０１９０】
以下に、本実施形態のユーザＩ／Ｆ部２０１が行う操作受付動作について、図１４に示すフローチャートに沿って説明する。【０１９１】
図１４を参照すると、まず、ユーザＩ／Ｆ部２０１は、ユーザにより操作が行われると、ユーザが行った操作が受付開始指示入力であるか否かを判定する（ステップ１４０１）。【０１９２】
ユーザＩ／Ｆ部２０１は、ユーザが行った操作が受付開始指示入力であった場合、受付開始指示入力が行われてからの一定期間を各要求の受付期間として設定し、受付期間投射指示を出力部２０４に出力する（ステップ１４０２）。また、ユーザＩ／Ｆ部２０１は、応答開始指示を応答部２０２に出力し（ステップ１００３）、受付開始指示を接続先管理部２０３に出力する（ステップ１４０３）。【０１９３】
次に、ユーザＩ／Ｆ部２０１は、ユーザにより受付期間終了指示入力が行われるまで待つ（ステップ１４０４）。【０１９４】
ユーザＩ／Ｆ部２０１は、ユーザにより受付期間終了指示入力が行われると、応答終了指示を応答部２０２に出力し、受付終了指示を接続先管理部２０３に出力する（ステップ１４０５）。また、ユーザＩ／Ｆ部２０１は、受付期間投射終了指示を出力部２０４に出力する（ステップ１４０６）。【０１９５】
以降、ユーザＩ／Ｆ部２０１は、ステップ１４０１〜１４０６の処理を繰り返し行う。【０１９６】
上述したように、本実施形態のプロジェクタシステムにおいては、プロジェクタ２’は、ユーザによる受付開始指示入力が行われてから、受付期間終了指示入力が行われるまでの期間を、各要求の受付期間とする。【０１９７】
したがって、第１および第２の実施形態の効果に加え、ユーザが各要求の受付期間の長さを任意に決定できるという効果が得られる。【０１９８】
以上、実施形態を参照して本発明を説明したが、本発明は、上記実施形態に限定されるものではない。本発明の構成や詳細には、本発明の範囲内で当業者が理解しうる様々な変更をすることができる。
【図１】
2010052767.tif 000003
【図２】
2010052767.tif 000004
【図３】
2010052767.tif 000005
【図４】
2010052767.tif 000006
【図５】
2010052767.tif 000007
【図６】
2010052767.tif 000008
【図７】
2010052767.tif 000009
【図８】
2010052767.tif 000010
【図９】
2010052767.tif 000011
【図１０】
2010052767.tif 000012
【図１１】
2010052767.tif 000013
【図１２】
2010052767.tif 000014
【図１３】
2010052767.tif 000015
【図１４】
2010052767.tif 000016
【国際調査報告】
2010052767.tif 000017
2010052767.tif 000018
2010052767.tif 000019
2010052767.tif 000020